(57)【特許請求の範囲】
【請求項１】
布団乾燥機のホースのジョイントに接続される靴乾燥治具であって、
両端部が開口した筒形状に形成され、
一方の端部側から他方の端部側に向かって周壁の一部を切り欠いて第１切欠部を形成し、
前記第１切欠部と対向するように、前記一方の端部側から前記他方の端部側に向かって前記周壁の一部を切り欠いて第２切欠部を形成し、
前記第１切欠部及び前記第２切欠部の底部よりも前記一方の端部側に前記ジョイントの先端が配置されるように、前記ホースが挿入可能となっており、
内周面には、
前記ジョイントの外周面に形成されたジョイント側係合部と係合する治具側係合部と、前記治具側係合部よりも前記一方の端部側で且つ前記一方の端部よりも前記他方の端部側に位置して前記ホースの挿入量を規制する段部と、が設けられ、
該治具側係合部と前記ジョイント側係合部とを係合させることにより、前記ジョイントに固定される
ことを特徴とする靴乾燥治具。
【請求項２】
布団乾燥機のホースのジョイントに接続される靴乾燥治具であって、
両端部が開口した筒形状に形成され、
一方の端部側から他方の端部側に向かって周壁の一部を切り欠いて切欠部を形成し、
前記切欠部と対向するように、前記一方の端部側から前記他方の端部側まで前記周壁を切断した切断部を形成し、
前記切欠部の底部よりも前記一方の端部側に前記ジョイントの先端が配置されるように、前記ホースが挿入可能となっている
ことを特徴とする靴乾燥治具。
【請求項３】
前記第１切欠部及び前記第２切欠部の少なくとも一方の切欠形状は、略Ｕ字状である
ことを特徴とする請求項１に記載の靴乾燥治具。
【請求項４】
前記切欠部の切欠形状は、略Ｕ字状である
ことを特徴とする請求項２に記載の靴乾燥治具。
【請求項５】
内周面には、
前記ジョイントの外周面に形成されたジョイント側係合部と係合する治具側係合部が形成され、
該治具側係合部と前記ジョイント側係合部とを係合させることにより、前記ジョイントに固定される
ことを特徴とする請求項２又は請求項４に記載の靴乾燥治具。
【請求項６】
前記治具側係合部が、前記一方の端部側から前記他方の端部側に向かって複数形成され、
前記ジョイント側係合部を係合させる前記治具側係合部を選択することにより、前記ジョイントの先端部からの突出長さが調整可能である
ことを特徴とする請求項５に記載の靴乾燥治具。
【請求項７】
温風発生装置と、該温風発生装置から発せられる温風が内部に導入されるホースと、前記ホースのジョイントに接続される請求項１〜６のいずれか一項に記載の靴乾燥治具と、筐体とを備え、
前記底部よりも前記一方の端部側に前記ジョイントの先端が配置されるように前記ホースを前記靴乾燥治具に挿入した状態で、前記ホース及び前記靴乾燥治具を前記筐体内に収容する
ことを特徴とする布団乾燥機。
【発明の詳細な説明】
【技術分野】
【０００１】
本発明は、靴乾燥治具及びこの靴乾燥治具を備えた布団乾燥機に関する。
【背景技術】
【０００２】
従来、例えば図１３のような靴乾燥治具を備えた布団乾燥機が提案されている（例えば、特許文献１）。この靴乾燥治具１’の端部は二股に分岐して突起が形成され、独立した一対の開口部３’が形成されている。そして、この靴乾燥治具１’を靴に挿入した場合には、二股に分岐して突起した部位の根本の部分に相当する基端４’まで挿入される。そして、この布団乾燥機は、筐体内部に筐体内部の空間を区切る隔壁を設け、隔壁の一部に凹部を形成して、くつ乾燥治具の収納部を設け、ホースの先端の吹出口にふとんの乾燥袋又はくつ乾燥治具を取替可能に設け、運転しないときは、くつ乾燥治具の収納部と乾燥袋収納部にそれぞれ収納できるようにしてある。靴を乾燥させる場合には、靴乾燥治具１’の突起で靴の履き口部側壁を挟み込み、布団乾燥機を運転させる。これにより、温風発生装置から発せられた温風は、ホース内部を伝い、このホースに接続された靴乾燥治具１’内部に流れ込む。靴乾燥治具１’内部に流れ込んだ温風は、上述した一対の開口部３’のそれぞれに導かれ、一対（左右）の靴の各底面に向かって吹き出される。
【先行技術文献】
【特許文献】
【０００３】
【特許文献１】特開２００６―３４８７９号公報（［００６４］〜［００６７］、図１０）
【発明の概要】
【発明が解決しようとする課題】
【０００４】
特許文献１に記載の布団乾燥機においては、靴乾燥を行わない場合には通常、靴乾燥治具１’が筐体内部に収納される。このとき、靴乾燥治具１’を収納するスペース（上述した、くつ乾燥治具の収納部）を、ホースを収納するスペースとは別個独立に設ける構成としている。そのため、筐体内部の収納スペースを大きく確保する必要があるという課題があった。
【０００５】
本発明は、上述のような課題を解決するためになされたものであり、左右の靴を乾燥することを可能にしつつ、筐体内部の収納スペースを従来よりも小さくすることが可能な靴乾燥治具及びこの靴乾燥治具を備えた布団乾燥機を提供することを目的としている。
【課題を解決するための手段】
【０００６】
本発明に係る靴乾燥治具は、布団乾燥機のホースのジョイントに接続される靴乾燥治具であって、両端部が開口した筒形状に形成され、一方の端部側から他方の端部側に向かって周壁の一部を切り欠いて第１切欠部を形成し、前記第１切欠部と対向するように、前記一方の端部側から前記他方の端部側に向かって前記周壁の一部を切り欠いて第２切欠部を形成し、前記第１切欠部及び前記第２切欠部の底部よりも前記一方の端部側に前記ジョイントの先端が配置されるように、前記ホースが挿入可能となっており、内周面には、前記ジョイントの外周面に形成されたジョイント側係合部と係合する治具側係合部と、前記治具側係合部よりも前記一方の端部側で且つ前記一方の端部よりも前記他方の端部側に位置して前記ホースの挿入量を規制する段部と、が設けられ、該治具側係合部と前記ジョイント側係合部とを係合させることにより、前記ジョイントに固定されるものである。
【０００７】
本発明に係る布団乾燥機は、温風発生装置と、該温風発生装置から発せられる温風が内部に導入されるホースと、前記ホースのジョイントに接続される本発明に係る靴乾燥治具と、筐体とを備え、前記底部よりも前記一方の端部側に前記ジョイントの先端が配置されるように前記ホースを前記靴乾燥治具に挿入した状態で、前記ホース及び前記靴乾燥治具を前記筐体内に収容するものである。
【発明の効果】
【０００８】
本発明においては、両端部が開口した筒形状の靴乾燥治具の周壁の一方の端部側から他方の端部側に向かって第１切欠部及び第２切欠部が対向して形成される構成としている。靴乾燥時には、靴の履き口部側壁を第１切欠部及び第２切欠部に差し込み、靴乾燥治具のホース差込口側から吹出口側に送られた温風で左右の靴を乾燥することが可能になる。
また、本発明においては、靴乾燥治具をホースに挿入して筐体内部に収納する場合には、従来の靴乾燥治具のホース差込口の突起の基端のように挿入する際の制約になるものがないことから、靴乾燥治具をジョイントのホース側により深く挿入できる。このため、収納スペースを従来よりも小さくすることが可能となる。
【図面の簡単な説明】
【０００９】
【図１】本発明の実施の形態１に係る靴乾燥治具を布団乾燥機の筐体に収納した状態を示す縦断面図である。
【図２】本発明の実施の形態１に係る靴乾燥治具の斜視図である。
【図３】本発明の実施の形態１に係る靴乾燥治具を布団乾燥機のホースに接続した状態を示す縦断面図である。
【図４】本発明の実施の形態１に係る靴乾燥治具の靴の乾燥状態を示す斜視図である。
【図５】図４のＡ−Ａ断面図である。
【図６】本発明の実施の形態１に係る靴乾燥治具を布団乾燥機のホースに接続した状態を示す縦断面図である。
【図７】本発明の実施の形態１に係る靴乾燥治具の長靴の乾燥状態を示す斜視図である。
【図８】図７のＢ−Ｂ断面図である。
【図９】本発明の実施の形態２に係る靴乾燥治具の斜視図である。
【図１０】本発明の実施の形態２に係る靴乾燥治具を布団乾燥機の筐体に収納した状態を示す縦断面図である。
【図１１】本発明の実施の形態２に係る靴乾燥治具を靴に挿入するときに布団乾燥機のホースに接続した状態を示す斜視図である。
【図１２】本発明の実施の形態２に係る靴乾燥治具を長靴に挿入するときに布団乾燥機のホースに接続した状態を示す斜視図である。
【図１３】従来の靴乾燥治具の斜視図である。
【発明を実施するための形態】
【００１０】
実施の形態１．
図１は、本発明の実施の形態１に係る靴乾燥治具１を布団乾燥機１００の筐体５０に収納した状態を示す縦断面図である。図２は、本発明の実施の形態１に係る靴乾燥治具１の斜視図である。図３は、本発明の実施の形態１に係る靴乾燥治具１を布団乾燥機１００のホース１１に接続した状態を示す縦断面図である。
【００１１】
図１に示されるように、布団乾燥機１００は、靴乾燥治具１、ホース１１、温風発生装置１８、乾燥マット１９、筐体５０から構成されている。
温風発生装置１８は、ファンモータ１８ａ及びヒータ１８ｂを備えており、これらを駆動することにより温風を発生し、温風吹出口１３からホース１１に送出する。ホース１１は、伸縮自在に構成され、一端が温風発生装置１８の温風吹出口１３に接続され、他端には靴乾燥治具１と接続可能なジョイント１２が設けられている。ジョイント１２に靴乾燥治具１が接続されることで、ホース１１に導入された温風は、靴乾燥治具１に送出され、靴乾燥治具１に形成された吹出口３から吐出されるようになっている。
【００１２】
筐体５０は、その上部には開閉可能な収納蓋１６が設けられている。また、筐体５０の底部には温風発生装置１８が固定されて配置されており、温風発生装置１８を除いた空間である収納部１７に靴乾燥治具１、ホース１１及び乾燥マット１９が収納される。また、筐体５０は、その上部には開閉可能な収納蓋１６が設けられている。
【００１３】
図２に示されるように、靴乾燥治具１は、両端部が開口した略円筒形状のものである。靴乾燥治具１の一方の端部側にはホース差込口２が形成され、他方の端部側には吹出口３が形成されている。また、靴乾燥治具１の周壁には、切欠部４ａ（本発明における第１切欠部に相当する）、切欠部４ｂ（本発明における第２切欠部に相当する）が対向して形成されている。切欠部４ａ，４ｂは、吹出口３が形成された端部側からホース差込口２が形成された端部側に向かって、靴乾燥治具１の周壁の一部を切り欠いて形成されている。切欠部４ａ，４ｂはＵ字形状に形成されており、その底部４ｃ，４ｄはそれぞれ、Ｕ字形状の側縁部と側縁部とを結ぶ略直線状になっている。また、靴乾燥治具１の周壁には段部２０が形成されている。この段部２０は、靴乾燥治具１をホース１１に挿入するとき、ホース１１の挿入量を規制する。
【００１４】
図３に示されるように、靴乾燥治具１の周壁には、第１の溝５ａ，５ｂ（本発明における治具側係合部に相当する）、及び第１の溝５ａ，５ｂよりも上方（図３に示される縦断面図における上方）に第２の溝６ａ，６ｂ（本発明における治具側係合部に相当する）が形成されている。
【００１５】
また、ホース１１のジョイント１２の外周面には、第１の突起１４ａ，１４ｂ（本発明におけるジョイント側係合部に相当する）が対向して形成されている。また、第１の突起１４ａ，１４ｂよりも上方（図３に示される縦断面図における上方）に第２の突起１５ａ，１５ｂ（本発明におけるジョイント側係合部に相当する）が対向して形成されている。
【００１６】
このため、靴乾燥治具１をホース１１に挿入すると、第１の溝５ａ，第１の突起１４ａが係合し、第１の溝５ｂ，第１の突起１４ｂが係合する。また、第２の溝６ａ，第２の突起１５ａが係合し、第２の溝６ｂ，第２の突起１５ｂが係合する。このように係合することにより、靴乾燥治具１とジョイント１２とを固定することができる。
また、後述の図６に示されるように、第２の溝６ａ，第１の突起１４ａが係合し、第２の溝６ｂ，第１の突起１４ｂが係合することにより、図３に示される場合に比べて、ホース１１の先端部から靴乾燥治具１の吹出口３までの長さを長くすることができる。
【００１７】
次に、本実施の形態１に係る靴乾燥治具１を靴３０に使用する例について説明する。
図４は、本発明の実施の形態１に係る靴乾燥治具１の靴３０の乾燥状態を示す斜視図である。図５は、図４のＡ−Ａ断面図である。
【００１８】
靴３０を乾燥する場合は、まず、靴乾燥治具１をホース１１に挿入し、上述したように（図３の説明で記載したように）、靴乾燥治具１の第１の溝５ａ，５ｂと、ジョイント１２の突起１４ａ，１４ｂとを係合させる。また、靴乾燥治具１の第２の溝６ａ，６ｂと、ジョイント１２の第２の突起１５ａ，１５ｂとを係合させる。このようにして、靴乾燥治具１とジョイント１２とを固定する。このとき、靴乾燥治具１の底部４ｃ，４ｄがホース１１の先端部より基端側（温風吹出口１３側）に位置している。次に、図４及び図５に示されるように、靴の履き口部側壁３０ａを切欠部４ａ，４ｂに差し込む。そして、布団乾燥機１００を運転すると、温風発生装置１８から発生した温風がホース１１を通って、靴乾燥治具１の吹出口３から吐出される。このとき、靴の履き口部側壁３０ａは、温風を左右の靴３０に均等に吹き付けるガイドとしての役割を果たす。そのため、吹出口３から吐出された温風は、左右の靴３０の内部底面側に向かって吹き出され、左右の靴３０を乾燥する。
【００１９】
次に、本実施の形態１に係る靴乾燥治具１を長靴３１に使用する例について説明する。
図６は、本発明の実施の形態１に係る靴乾燥治具１を布団乾燥機１００のホース１１に接続した状態を示す縦断面図である。図７は、本発明の実施の形態１に係る靴乾燥治具１の長靴３１の乾燥状態を示す斜視図である。図８は、図７のＢ−Ｂ断面図である。
【００２０】
長靴３１を乾燥する場合は、まず、靴乾燥治具１をホース１１に挿入し、図６に示されるように、靴乾燥治具１に形成された第２の溝６ａ、第１の突起１４ａが係合し、第２の溝６ｂ、第１の突起１４ｂが係合する。このようにして、靴乾燥治具１とジョイント１２とを固定する。このとき、靴乾燥治具１はホース１１に挿入されているが、靴乾燥治具１の底部４ｃ，４ｄは、ホース１１の先端部より温風の吹き出し方向に位置している。次に、図７に示されるように、長靴の履き口部側壁３１ａを切欠部４ａ，４ｂに差し込む。そして、布団乾燥機１００を運転すると、温風発生装置１８から発生した温風がホース１１を通って、靴乾燥治具１の吹出口３から吐出する。このとき、長靴の履き口部側壁３１ａは、温風を左右の長靴３１に均等に吹き付けるガイドとしての役割を果たす。そのため、吹出口３から吐出された温風は、左右の長靴３１の内部底面側に向かって吹き付され、左右の長靴３１を乾燥する。このように、靴乾燥治具１の底部４ｃ，４ｄは、ホース１１の先端部より温風の吹き出し方向に位置しており、このため、長靴の履き口部側壁３１ａを切欠部４ａ，４ｂに差し込むとき、底部４ｃ，４ｄまで差し込むことができる。そのため、図３のように靴乾燥治具１とジョイント１２とを固定する場合と比較して、温風をより靴底まで届けることが容易な構成となっている。
【００２１】
靴３０や長靴３１の乾燥を終了し、靴乾燥に用いた靴乾燥治具１、ホース１１を筐体５０に収納するときは、上述したように収納蓋１６を開け、これらを収納部１７に収納する。このとき、靴乾燥治具１をホース１１に挿入することにより、靴乾燥治具１がホース１１の先端から突出する程度を少なくすることができる。つまり、靴乾燥治具１の底部４ｃ，４ｄは、靴乾燥治具１が靴に挿入する最大長さを規定することになり、その意味で従来の靴乾燥治具１’の基端４’（図１３参照）に対応するものであるが、仮に、この靴乾燥治具１’をホース１１に挿入した場合には、靴乾燥治具１’の基端４’により挿入される長さが制約されて図１の波線Ａの部位までしか挿入できないが、本実施の形態１においては図１の状態まで挿入できることとなり、靴乾燥治具１がホース１１の先端から突出する程度を少なくすることができる。
【００２２】
以上のように、本実施の形態１に係る靴乾燥治具１によれば、両端部が開口した筒形状の靴乾燥治具１の周壁の吹出口３側からホース差込口２側に向かって切欠部４ａ，４ｂが対向して形成される構成としている。靴乾燥時には、靴の履き口部側壁３０ａ（長靴の履き口部側壁３１ａ）を切欠部４ａ，４ｂに差し込み、靴乾燥治具１のホース差込口２側から吹出口３側に送られた温風で左右の靴を乾燥することが可能になる。また、本発明においては、靴乾燥治具１をホース１１に挿入して筐体５０内部に収納する場合には、従来の靴乾燥治具１’のホース差込口２’の突起の基端のように挿入する際の制約になるものがないことから、靴乾燥治具１をジョイント１２のホース１１側により深く挿入できる。このため、収納スペースを従来よりも小さくすることが可能となる。
【００２３】
また、本実施の形態１に係る靴乾燥治具１によれば、履き口部の高い長靴３１のような靴を乾燥する場合には、第２の溝６ａと第１の突起１４ａとを係合させ、第２の溝６ｂと第１の突起１４ｂとを係合させる構成とした。このため、長靴の履き口部側壁３１ａを切欠部４ａ，４ｂに差し込むとき、底部４ｃ，４ｄまで差し込むことができる。このため、履き口部の高い靴を乾燥する場合であっても、温風を靴底へ届かせることができ、効果的に乾燥することができる。
【００２４】
なお、本実施の形態１では、靴乾燥治具１の周壁には段部２０が設け、靴乾燥治具１のホース１１に対する挿入量を規制しているが、段部２０を形成されない構成としてもよい。このように構成した場合には、段部２０を設けた場合に比べ、靴乾燥治具１をよりホース１１に、より挿入することができる。つまり、筐体５０内部の収納スペースを、より小さくすることが可能となる。
【００２５】
また、本実施の形態１では、靴乾燥治具１の内周面に第１の溝５ａ，５ｂ及び第２の溝６ａ，６ｂを形成し、ジョイント１２の外周面に第１の突起１４ａ，１４ｂ及び第２の突起１５ａ，１５ｂを形成する構成としたが、これに限定されない。例えば、靴乾燥治具１の内周面に第１の突起１４及び第２の突起１５を形成し、ジョイント１２の外周面に第１の溝５ａ，５ｂ及び第２の溝６ａ，６ｂを形成する構成としてもよい。つまり、靴乾燥治具１とジョイント１２とを固定する構成であればよい。なお、ジョイント１２の外周面に第１の溝５ａ，５ｂ及び第２の溝６ａ，６ｂを形成するときは、ジョイント１２の内周面まで貫通しないように形成するとよい。これは、ジョイント１２の内周面を流れる温風が溝を経由して外へ流出しないようにするためである。
【００２６】
また、本実施の形態１では、ジョイント１２に第１の突起１４ａ、１４ｂ及び第２の突起１５ａ、１５ｂを形成する構成としたが、第１の突起１４ａ，１４ｂのみ、又は第２の突起１５ａ，１５ｂのみ形成する構成としてもよい。
【００２７】
また、本実施の形態１では、靴乾燥治具１に第１の溝５ａ，５ｂ、第２の溝６ａ，６ｂを形成する構成としたが、ホース差込口２側から吹出口３側に向かってより多くの溝を対向して形成する構成としてもよい。より多くの溝を対向して形成すれば、靴乾燥治具１の突出長さをさらに多くの段階に調整することができるため、靴の履き口部側壁の高さに応じた突出長さに調整することができる。
【００２８】
また、本実施の形態１では、切欠部４ａ，４ｂの形状をＵ字状としたがこれに限定されず、例えば、切欠部４ａ，４ｂの形状をＶ字状に形成してもよい。また、本実施の形態１では、靴乾燥治具１を円筒形状としたが、ジョイント１２に対応した形状であれば円筒形状に限定されない。
【００２９】
実施の形態２．
本実施の形態２では、靴乾燥治具１の周壁に段部２０を設けない構成とした。
【００３０】
図９は、本発明の実施の形態２に係る靴乾燥治具１の斜視図である。図１０は、本発明の実施の形態２に係る靴乾燥治具１を布団乾燥機１００の筐体５０に収納した状態を示す縦断面図である。なお、本実施の形態２では、実施の形態１と同一の箇所については同一の符号を付して、説明を割愛する。
【００３１】
以下、図９を用いて、実施の形態２の構成を実施の形態１との相違点を中心に説明する。実施の形態２では、実施の形態１の切欠部４ａと同様に、吹出口３が形成された端部側からホース差込口２が形成された端部側に向かって、靴乾燥治具１の周壁に切欠部７ａ（本発明の切欠部に相当する）が形成されているが、切欠部７ａに対向した側には、実施の形態１の切欠部４ｂに代えて、切断部７ｂ（本発明の切断部に相当する）が形成されている。切欠部７ａはＵ字形状に形成されており、その底部７ｃは、Ｕ字形状の側縁部と側縁部とを結ぶ略直線状になっている。切断部７ｂは、切欠部７ａと対向して、吹出口３側からホース差込口２側に向かって周壁を切断して形成されている。
また、上述したように、本実施の形態２では、靴乾燥治具１の周壁に段部２０を設けていない構成になっている。
【００３２】
図１０に示されるように、本実施の形態２では、実施の形態１と同様に、筐体５０内に靴乾燥治具１、ホース１１等を収納することが可能となっている。ここで、本実施の形態２では、靴乾燥治具１の周壁に段部２０が形成されていないので、靴乾燥治具１をホース１１のより基端側（温風吹出口１３側）に挿入できる。
【００３３】
以下、図１１及び図１２を用いて靴乾燥治具１を布団乾燥機１００のホース１１に接続した状態を説明する。図１１は、本発明の実施の形態２に係る靴乾燥治具１を靴３０（図４参照）に挿入するときに布団乾燥機１００のホース１１に接続した状態を示す斜視図である。図１２は、本発明の実施の形態２に係る靴乾燥治具１を長靴３１（図７参照）に挿入するときに布団乾燥機１００のホース１１に接続した状態を示す斜視図である。
【００３４】
靴３０を乾燥させる場合には、図１１に示されるように、靴乾燥治具１の第１の溝５ａ，５ｂとジョイント１２の第１の突起１４ａ，１４ｂとを係合させる。また、第２の溝６ａ，６ｂとジョイント１２の第２の突起１５ａ，１５ｂとを係合させる。このように靴乾燥治具１とジョイント１２とを固定する。そして、上記の実施の形態１と同様に靴３０の乾燥が行われる。
【００３５】
長靴３１を乾燥させる場合には、図１２に示されるように、靴乾燥治具１の第２の溝６ａとジョイント１２の第１の突起１４ａとを係合させる。また、第２の溝６ｂとジョイント１２の第１の突起１４ｂとを係合させる。このように靴乾燥治具１とジョイント１２とを固定し、ホース１１の先端部から靴乾燥治具１の吹出口３までの長さを靴３０の場合に比べて長くする。そして、上記の実施の形態１と同様に長靴３１の乾燥が行われる。
【００３６】
以上のように、本実施の形態２に係る靴乾燥治具１によれば、靴乾燥治具１の周壁に段部２０を設けない構成としている。これにより、実施の形態１における段部２０を設けた場合と比較して、靴乾燥治具１をホース１１の基端側（温風吹出口１３側）により挿入できる。特に、筐体５０に靴乾燥治具１及びホース１１を収納するときには、靴乾燥治具１をホース１１にその先端部から突出しないように挿入することができるので、収納スペースを従来と比較して更に小さくすることが可能となる。
【００３７】
また、本実施の形態２に係る靴乾燥治具１によれば、切欠部７ａに対向して切断部７ｂを形成する構成とした。これにより、切断部７ｂにおいて弾性力が働くため、実施の形態１における切欠部４ｂを形成した場合と比較して、靴乾燥治具１のホース１１への挿入をより容易にすることが可能となる。
【符号の説明】
【００３８】
１  靴乾燥治具、２  ホース差込口、３  吹出口、４ａ，４ｂ  切欠部、４ｃ，４ｄ  底部、５ａ，５ｂ  第１の溝、６ａ，６ｂ  第２の溝、７ａ  切欠部、７ｂ  切断部、７ｃ  底部、１１  ホース、１２  ジョイント、１３  温風吹出口、１４ａ、１４ｂ  第１の突起、１５ａ，１５ｂ  第２の突起、１６  収納蓋、１７  収納部、１８  温風発生装置、１８ａ  ファンモータ、１８ｂ  ヒータ、１９  乾燥マット、２０  段部、３０  靴、３０ａ  靴の履き口部側壁、３１  長靴、３１ａ  長靴の履き口部側壁、５０  筐体、１００  布団乾燥機、１’  靴乾燥治具（従来）、２’  ホース差込口（従来）、３’  吹出口（従来）、４’  基端（従来）。
【図１】
0005773911.tif 000002
【図２】
0005773911.tif 000003
【図３】
0005773911.tif 000004
【図４】
0005773911.tif 000005
【図５】
0005773911.tif 000006
【図６】
0005773911.tif 000007
【図７】
0005773911.tif 000008
【図８】
0005773911.tif 000009
【図９】
0005773911.tif 000010
【図１０】
0005773911.tif 000011
【図１１】
0005773911.tif 000012
【図１２】
0005773911.tif 000013
【図１３】
0005773911.tif 000014